(57)【特許請求の範囲】
【請求項１】
第１テープ組と、前記第１テープ組にスライド可能に設けられ、前記第１テープ組を閉状態又は開状態にさせるための第１閉部材と、を含む第１閉構造と、
第２テープ組と、前記第２テープ組にスライド可能に設けられ、前記第２テープ組を閉状態又は開状態にさせるための第２閉部材と、を含む第２閉構造と、
前記第１閉部材及び前記第２閉部材を接続する第１方向及び前記第１方向と反対の第２方向へ移動可能な接続部材を含む接続構造と、
を含み、
前記接続部材は前記第１方向へ移動すると、前記第１閉部材及び前記第２閉部材を連動して前記第１方向へスライドさせることによって、前記第１テープ組を閉状態にさせると共に前記第２テープ組を開状態にさせ、
前記接続部材は前記第２方向へ移動すると、前記第１閉部材及び前記第２閉部材を連動して前記第２方向へスライドさせることによって、前記第１テープ組を開状態にさせると共に前記第２テープ組を閉状態にさせることを特徴とする自動閉機能付きの閉構造。
【請求項２】
前記第１閉部材と前記第２閉部材は互いに間隔をもって設けられることを特徴とする請求項１に記載の自動閉機能付きの閉構造。
【請求項３】
前記第１閉部材と前記第２閉部材は互いにずれ且つ互いに平行することを特徴とする請求項２に記載の自動閉機能付きの閉構造。
【請求項４】
前記第２閉部材はスライドする時に前記接続部材により前記第１閉部材を連動して同期してスライドさせることを特徴とする請求項１に記載の自動閉機能付きの閉構造。
【請求項５】
前記第１テープ組は、
第１左ファスナエレメントチェーンが設けられる第１左テープと、
前記第１左ファスナエレメントチェーンと互いに噛合又は分離できる第１右ファスナエレメントチェーンが設けられる第１右テープと、
を含み、
前記第１閉部材は前記第１方向へスライドすると、前記第１左ファスナエレメントチェーンと前記第１右ファスナエレメントチェーンを互いに噛合させることによって前記第１テープ組を閉状態にさせ、
前記第１閉部材は前記第２方向へスライドすると、前記第１左ファスナエレメントチェーンと前記第１右ファスナエレメントチェーンを互いに分離させることによって前記第１テープ組を開状態にさせ、
前記第２テープ組は、
第２左ファスナエレメントチェーンが設けられる第２左テープと、
前記第２左ファスナエレメントチェーンと互いに噛合又は分離できる第２右ファスナエレメントチェーンが設けられる第２右テープと、
を含み、
前記第２閉部材は前記第１方向へスライドすると、前記第２左ファスナエレメントチェーンと前記第２右ファスナエレメントチェーンを互いに分離させることによって前記第２テープ組を開状態にさせ、
前記第２閉部材は前記第２方向へスライドすると、前記第２左ファスナエレメントチェーンと前記第２右ファスナエレメントチェーンを互いに噛合させることによって前記第２テープ組を閉状態にさせることを特徴とする請求項４に記載の自動閉機能付きの閉構造。
【請求項６】
開口を有する袋体と、
前記袋体に接続される少なくとも一つのベルトと、
前記開口の周縁に設けられる第１テープ組と、前記第１テープ組にスライド可能に設けられ、前記第１テープ組を閉状態又は開状態にさせるための第１閉部材と、を含む第１閉構造と、
前記袋体の側部と前記ベルトとの間に設けられる第２テープ組と、前記第２テープ組にスライド可能に設けられ、前記第２テープ組を閉状態又は開状態にさせるための第２閉部材と、を含む第２閉構造と、
前記第１閉部材及び前記第２閉部材を接続する第１方向及び前記第１方向と反対の第２方向への移動可能な接続部材を含む接続構造と、
を含み、
前記接続部材は前記第１方向へ移動すると、前記第１閉部材及び前記第２閉部材を連動して前記第１方向へスライドさせることによって、前記第１テープ組を閉状態にさせると共に前記第２テープ組を開状態にさせ、
前記接続部材は前記第２方向へ移動すると、前記第１閉部材及び前記第２閉部材を連動して前記第２方向へスライドさせることによって、前記第１テープ組を開状態にさせると共に前記第２テープ組を閉状態にさせることを特徴とする閉構造付きのバックパック。
【請求項７】
前記第１閉部材と前記第２閉部材は互いに間隔をもって設けられることを特徴とする請求項６に記載の閉構造付きのバックパック。
【請求項８】
前記第１閉部材と前記第２閉部材は互いにずれ且つ互いに平行することを特徴とする請求項７に記載の閉構造付きのバックパック。
【請求項９】
前記第２閉部材はスライドする時に前記接続部材により前記第１閉部材を連動して同期してスライドさせることを特徴とする請求項６に記載の閉構造付きのバックパック。
【請求項１０】
前記第１テープ組は、
第１左ファスナエレメントチェーンが設けられる第１左テープと、
前記第１左ファスナエレメントチェーンと互いに噛合又は分離できる第１右ファスナエレメントチェーンが設けられる第１右テープと、
を含み、
前記第１閉部材は前記第１方向へスライドすると、前記第１左ファスナエレメントチェーンと前記第１右ファスナエレメントチェーンを互いに噛合させることによって前記第１テープ組を閉状態にさせ、
前記第１閉部材は前記第２方向へスライドすると、前記第１左ファスナエレメントチェーンと前記第１右ファスナエレメントチェーンを互いに分離させることによって前記第１テープ組を開状態にさせ、
前記第２テープ組は、
第２左ファスナエレメントチェーンが設けられる第２左テープと、
前記第２左ファスナエレメントチェーンと互いに噛合又は分離できる第２右ファスナエレメントチェーンが設けられる第２右テープと、
を含み、
前記第２閉部材は前記第１方向へスライドすると、前記第２左ファスナエレメントチェーンと前記第２右ファスナエレメントチェーンを互いに分離させることによって前記第２テープ組を開状態にさせ、
前記第２閉部材は前記第２方向へスライドすると、前記第２左ファスナエレメントチェーンと前記第２右ファスナエレメントチェーンを互いに噛合させることによって前記第２テープ組を閉状態にさせることを特徴とする請求項９に記載の閉構造付きのバックパック。
【発明の詳細な説明】
【技術分野】
【０００１】
本発明は閉構造及びバックパックに関し、特に自動閉機能付きの閉構造及び該閉構造付きのバックパックに関する。
【背景技術】
【０００２】
既存の技術における例えばスライドファスナなどの開閉構造は、例えば衣服、ズボン、スーツケース、バックパック等に適用されるため、すでに人々の生活に密着する。しかし、スライドファスナを閉めるのを忘れてしまうことが時々に発生する。特にバックパックのスライドファスナを閉めないと、バックパックは開放になり、内部の物品の盗難や遺失に発展しかねない。
【０００３】
そのため、本発明者は鋭意に研究し、科学原理をも適用して設計が合理で且つ効果に上述した欠陥を改善できる本発明を提供する。
【発明の概要】
【０００４】
本発明の目的は既存の技術的欠陥を改善できる自動閉機能付きの閉構造及び該閉構造付きのバックパックを提供する。
【０００５】
本発明に係る自動閉機能付きの閉構造は、第１閉構造、第２閉構造及び接続構造を含む。第１閉構造は、第１テープ組と、第１テープ組にスライド可能に設けられ、第１テープ組を閉状態又は開状態にさせるための第１閉部材と、を含む。第２閉構造は、第２テープ組と、第２テープ組にスライド可能に設けられ、第２テープ組を閉状態又は開状態にさせるための第２閉部材と、を含む。接続構造は、第１閉部材及び第２閉部材を接続する接続部材を含む。接続部材は、第１方向及び第１方向と反対の第２方向へ移動可能なものである。接続部材は第１方向へ移動すると、第１閉部材及び第２閉部材を連動して第１方向へスライドさせることによって、第１テープ組を閉状態にさせると共に第２テープ組を開状態にさせる。接続部材は第２方向へ移動すると、第１閉部材及び第２閉部材を連動して第２方向へスライドさせることによって、第１テープ組を開状態にさせると共に第２テープ組を閉状態にさせる。
【０００６】
好ましい態様において、第１閉部材と第２閉部材は互いに間隔をもって設けられる。
【０００７】
好ましい態様において、第１閉部材と第２閉部材は互いにずれ且つ平行する。
【０００８】
好ましい態様において、第２閉部材がスライドする時に接続部材により第１閉部材を連動して同期してスライドさせる。
【０００９】
好ましい態様において、第１テープ組は、第１左ファスナエレメントチェーンが設けられる第１左テープと、第１左ファスナエレメントチェーンと互いに噛合又は分離できる第１右ファスナエレメントチェーンが設けられる第１右テープと、を含む。第１閉部材は第１方向へスライドすると、第１左ファスナエレメントチェーンと第１右ファスナエレメントチェーンを互いに噛合させることによって第１テープ組を閉状態にさせる。第１閉部材は第２方向へスライドすると、第１左ファスナエレメントチェーンと第１右ファスナエレメントチェーンを互いに分離させることによって第１テープ組を開状態にさせる。第２テープ組は、第２左ファスナエレメントチェーンが設けられる第２左テープと、第２左ファスナエレメントチェーンと互いに噛合又は分離できる第２右ファスナエレメントチェーンが設けられる第２右テープと、を含む。第２閉部材は第１方向へスライドすると、第２左ファスナエレメントチェーンと第２右ファスナエレメントチェーンを互いに分離させることによって第２テープ組を開状態にさせる。第２閉部材は第２方向へスライドすると、第２左ファスナエレメントチェーンと第２右ファスナエレメントチェーンを互いに噛合させることによって第２テープ組を閉状態にさせる。
【００１０】
本発明に係る閉構造付きのバックパックは、袋体、少なくとも一つのベルト、第１閉構造、第２閉構造及び接続構造を含む。袋体は開口を有する。少なくとも一つのベルトは袋体に接続される。第１閉構造は、開口の周縁に設けられる第１テープ組と、第１テープ組にスライド可能に設けられ、第１テープ組を閉状態又は開状態にさせるための第１閉部材と、を含む。第２閉構造は、袋体の側部とベルトとの間に設けられる第２テープ組と、第２テープ組にスライド可能に設けられ、第２テープ組を閉状態又は開状態にさせるための第２閉部材と、を含む。接続構造は、第１閉部材及び第２閉部材を接続する第１方向及び第１方向と反対の第２方向への移動可能な接続部材を含む。接続部材は第１方向へ移動すると、第１閉部材及び第２閉部材を連動して第１方向へスライドさせることによって、第１テープ組を閉状態にさせると共に第２テープ組を開状態にさせる。接続部材は第２方向へ移動すると、第１閉部材及び第２閉部材を連動して第２方向へスライドさせることによって、第１テープ組を開状態にさせると共に第２テープ組を閉状態にさせる。
【００１１】
本発明に係る自動閉機能付きの閉構造及び該閉構造付きのバックパックにおいて、接続部材は第１閉部材及び第２閉部材を接続し、且つ接続部材は第１方向及び第１方向と反対の第２方向への移動可能なものであることで、接続部材は第２方向へ移動すると、第１閉部材及び第２閉部材を連動して第２方向へスライドさせることによって、第１テープ組を開状態にさせると共に第２テープ組を閉状態にさせ、接続部材は第１方向へ移動すると、第１閉部材及び第２閉部材を連動して第１方向へスライドさせることによって、第１テープ組を閉状態にさせると共に第２テープ組を開状態にさせるようにしている。従って、接続部材がスライドする時に、第１テープ組と第２テープ組は反対の状態になることができる。これにより、使用者はバックパックを背負う時に、ベルトを腕に通し又は開けて第２テープ組を開状態にさせれば、自動に第１テープ組を閉状態にさせることができる。そのため、スライドファスナを閉めることを忘れてバックパックの開口を露出させることを有効に回避することができる。
【００１２】
本発明の特徴及び技術的内容をより明瞭に理解するために、以下の本発明に関する詳細な説明と図面を参照する。しかし、提供された図面は参照と説明のためのもので、本発明を制限するためのものではない。
【図面の簡単な説明】
【００１３】
【図１】図１は本発明の閉構造の模式図である。
【図２】図２は本発明の閉構造の他の模式図である。
【図３】図３は本発明における該閉構造付きのバックパックの模式図である。
【図４】図４は本発明における該閉構造付きのバックパックの使用模式図である。
【発明を実施するための形態】
【００１４】
以下は特定の具体的実施例により本発明で開示された実施形態を説明する。当業者は本明細書で開示された内容から本発明の利点と効果を明らかに理解することができる。本発明は他の異なる具体的実施例で実施又は適用されてもよく、本明細書におけるそれぞれの詳細内容は、本発明の要旨を逸脱することがない限り、異なる観点と適用に基づき種々の変形と変更を加えられてもよい。理解すべきことは、本文で「第１」、「第２」等の用語により種々の素子を記述する可能性があるが、これらの素子はこれらの用語に制限されない。これらの用語は主に一方の素子と他方の素子を区別するためのものである。又、本文で使用された用語の「又は」は、実際の場合によれば関連して挙げられた項目の中のいずれか１個又は複数個の組み合わせを含む可能性がある。そして、本文における素子の組み合わせはこの分野での一般の周知、慣例又は従来の組み合わせではなく、素子自身が従来のようなものであるか否かによりその組み合わせをこの分野での通常知識者が手軽に実現することを判断すべきではない。又、先に説明する必要があるのは本発明の図面が単に模式的に説明するためのもので、実際の寸法により描かれたものではない。以下の実施形態はより詳細に本発明に関連する技術的内容を説明するものの、開示された内容は本発明の特許請求の範囲を制限するためのものではない。
【００１５】
図１、図２は本発明の一実施例を示す。本発明は自動閉機能付きの閉構造７００（以下は単に閉構造７００と呼ぶ）に関し、特にバックパックに好適に適用可能な閉構造に関する。また、本発明に係る自動閉機能付きの閉構造７００は衣服、ズボン又はスーツケースに適用されてもよい。
【００１６】
図１、図２に示すように、閉構造７００は大体に第１閉構造１０、第２閉構造２０及び接続構造３０を含む。
【００１７】
第１閉構造１０は第１閉部材１１及び第１テープ組１２を含む。第１閉部材１１は、第１テープ組１２にスライド可能に設けられ、第１テープ組１２を閉状態又は開状態にさせるためのものである。
【００１８】
第２閉構造２０は第２閉部材２１及び第２テープ組２２を含む。第２閉部材２１は、第２テープ組２２にスライド可能に設けられ、第２テープ組２２を閉状態又は開状態にさせるためのものである。
【００１９】
更に言えば、第１閉部材１１は第１方向Ｄ１（上方へ）へスライドすることによって第１テープ組１２を閉状態（図１のように）にさせることができる。第１閉部材１１は第２方向Ｄ２（下方へ）へスライドすることによって第１テープ組１２を開状態（図２のように）にさせることができる。
【００２０】
逆に、第２閉部材２１は第１方向Ｄ１（上方へ）へスライドすることによって第２テープ組２２を開状態（図１のように）にさせることができる。第２閉部材２１は第２方向Ｄ２（下方へ）へスライドすることによって第２テープ組２２を閉状態（図２のように）にさせることができる。
【００２１】
本実施例で、第１閉部材１１と第２閉部材２１は互いに間隔をもって設けられる。好ましくは、第１閉部材１１と第２閉部材２１は互いにずれ且つ互いに平行する。
【００２２】
接続構造３０は接続部材３１を含み、接続部材３１により第１閉部材１１と第２閉部材２１を接続する。好ましくは、接続部材３１は斜めの横板である。第１閉部材１１と第２閉部材２１は接続部材３１で斜めに接続される。従って、第１閉部材１１はスライドすると、接続部材３１により第２閉部材２１を連動して同期してスライドさせることができる。つまり、第２閉部材２１はスライドすると、接続部材３１で第１閉部材１１を連動して同期してスライドさせることができる。
【００２３】
そして、接続部材３１は第１方向Ｄ１又は第２方向Ｄ２へ移動可能なものである。接続部材３１は第２方向Ｄ２へ移動すると、第１閉部材１１及び第２閉部材２１を連動して第２方向Ｄ２へ同期してスライドさせることによって、第１テープ組１２を開状態にさせると共に第２テープ組２２を閉状態にさせることができ。接続部材３１は第１方向Ｄ１へ移動すると、第１閉部材１１及び第２閉部材２１を連動して第１方向Ｄ１へ同期してスライドさせることによって、第１テープ組１２を閉状態にさせると共に第２テープ組２２を開状態にさせることができる。
【００２４】
接続構造３０は接続部材３１と接続される引き手３２を更に含む。接続部材３１を引きやすいために、引き手３２は環状であってよい。
【００２５】
本実施例で、第１閉部材１１及び第２閉部材２１はそれぞれスライダ（ｚｉｐｐｅｒ  ｓｌｉｄｅｒ）であるが、他の類似した機能のある素子であってもよい。例えば、第１閉部材１１及び第２閉部材２１は密封袋の袋口にスライドして密封袋の袋口を開閉する素子であってよい。
【００２６】
第１テープ組１２は第１左テープ１２１及び第１右テープ１２２を含む。第１左テープ１２１には第１左ファスナエレメントチェーン１２１１が設けられる。第１右テープ１２２は第１右ファスナエレメントチェーン１２２１が設けられる。第１左ファスナエレメントチェーン１２１１と第１右ファスナエレメントチェーン１２２１は互いに噛合又は分離することができる。第１閉部材１１は第１方向Ｄ１（上方へ）へスライドすると、第１左ファスナエレメントチェーン１２１１と第１右ファスナエレメントチェーン１２２１を互いに噛合させることによって第１テープ組１２を閉状態にさせる。第１閉部材１１は第２方向Ｄ２（下方へ）へスライドすると、第１左ファスナエレメントチェーン１２１１と第１右ファスナエレメントチェーン１２２１を互いに分離させることによって第１テープ組１２を開状態にさせる。
【００２７】
第２テープ組２２は第２左テープ２２１及び第２右テープ２２２を含む。第２左テープ２２１は第２左ファスナエレメントチェーン２２１１が設けられる。第２右テープ２２２は第２右ファスナエレメントチェーン２２２１が設けられる。第２左ファスナエレメントチェーン２２１１と第２右ファスナエレメントチェーン２２２１は互いに噛合又は分離することができる。第２閉部材２１は第１方向Ｄ１（上方へ）へスライドすると、第２左ファスナエレメントチェーン２２１１と第２右ファスナエレメントチェーン２２２１は互いに分離させることによって第２テープ組２２を開状態にさせる。第２閉部材２１は第２方向Ｄ２（下方へ）へスライドすると、第２左ファスナエレメントチェーン２２１１と第２右ファスナエレメントチェーン２２２１を互いに噛合させることによって第２テープ組２２を閉状態にさせる。
【００２８】
図３及び図４を参照するととも、図１及び図２を適宜に参照する。本発明の閉構造７００はバックパック９００と組み合わせて実施されることができる。バックパック９００は袋体９０１及び袋体９０１に接続される少なくとも一つのベルト９０２を有する。袋体９０１は少なくとも一つの開口９０１１を有する。第１テープ組１２は袋体９０１の開口９０１１の周縁に設けられる。第２テープ組２２は袋体９０１の側部とベルト９０２との間に設けられる。第２左テープ２２１及び当該第２左テープ２２１の上の第２左ファスナエレメントチェーン２２１１は袋体９０１の側部に設けられる。第２右テープ２２２及び当該第２右テープ２２２の上の第２右ファスナエレメントチェーン２２２１はベルト９０２に設けられる。
【００２９】
以上のように、使用者がバックパック９００から物品を取り出したい時に、引き手３２で下へ接続部材３１を引いて接続部材３１を下方へ移動させることによって第１テープ組１２を開状態にさせる。第１テープ組１２が開状態になると、開口９０１１が露出し、使用者は手で開口９０１１を介して物品を取り出すことができる。そして、図４に示すように、使用者がバックパック９００を背負う時に、ベルト９０２を腕に通し又は開け、第２テープ組２２の噛合したファスナエレメントチェーンを分離させるだけで、第２閉部材２１はそれに従って上方へスライドすると共に接続部材３１により第１閉部材１１を連動して同期して上へスライドさせることによって、袋体９０１の開口９０１１の周縁に設けられた第１左ファスナエレメントチェーン１２１１と第１右ファスナエレメントチェーン１２２１を互いに噛合させる。従って、第１テープ組１２を自動に閉状態にさせて開口９０１１は隠れる。これにより、使用者がバックパック９００を背負う時に、ベルト９０２を腕に通し又は開けるだけで、自動に第１テープ組１２を閉状態にさせることによって、スライドファスナを閉めることを忘れてバックパックの開口を露出させる問題を有効に回避することができる。
【００３０】
また、第１閉部材１１と第２閉部材２１が上下方向に互いにずれるので、即ち第１閉部材１１は比較的上方に位置し第２閉部材２１は比較的下方に位置するので、第２閉部材２１が上方へスライドする時に滑らかに接続部材３１により第１閉部材１１を同期して上へスライドさせる。
【００３１】
以上のように、本発明に係る自動閉機能付きの閉構造及び該閉構造付きのバックパックにおいて、接続部材３１により第１閉部材１１及び第２閉部材２１を接続し、且つ接続部材３１は第１方向及び第１方向と反対の第２方向へ移動可能なものであるため、接続部材３１は第２方向へ移動すると、第１閉部材１１及び第２閉部材２１を連動して第２方向へスライドさせることによって、第１テープ組１２を開状態にさせると共に第２テープ組２２を閉状態にさせ、接続部材３１は第１方向へ移動すると、第１閉部材１１及び第２閉部材２１を連動して第１方向へスライドさせることによって、第１テープ組１２を閉状態にさせると共に第２テープ組２２を開状態にさせる。従って、接続部材３１はスライドする時に、第１テープ組１２と第２テープ組２２は反対の状態になることができる。これにより、使用者はバックパックを背負う時に、ベルトを腕に通し又は開けるだけで、第２テープ組を開状態にさせることができ、即ち自動に第１テープ組を閉状態にさせることができる。そのため、スライドファスナを閉めることを忘れてバックパックの開口を露出させる問題を有効に回避することができる。
【００３２】
以上の説明は本発明の好ましい態様にすぎず、本発明の特許請求の範囲を制限するものではない。本発明の明細書及び図面の内容からなされた等価的技術的変形は、いずれも本発明の特許請求の範囲に含まれる。
【符号の説明】
【００３３】
１０  第１閉構造
１１  第１閉部材
１２  第１テープ組
１２１  第１左テープ
１２１１  第１左ファスナエレメントチェーン
１２２  第１右テープ
１２２１  第１右ファスナエレメントチェーン
２０  第２閉構造
２１  第２閉部材
２２  第２テープ組
２２１  第２左テープ
２２１１  第２左ファスナエレメントチェーン
２２２  第２右テープ
２２２１  第２右ファスナエレメントチェーン
３０  接続構造
３１  接続部材
３２  引き手
７００  閉構造
９００  バックパック
９０１  袋体
９０１１  開口
９０２  ベルト
Ｄ１  第１方向
Ｄ２  第２方向
【図１】
0006884426.tif 000002
【図２】
0006884426.tif 000003
【図３】
0006884426.tif 000004
【図４】
0006884426.tif 000005